(57)【要約】【課題】天板を挟んでＸ線管とＸ線検出器とが配設されたＸ線テレビ装置であっても、設置スペースを大きくすることなく、Ｘ線検出器と被検体を密着させて鮮明な画像を得るこができるようにする。【解決手段】Ｘ線テレビ装置において、被検体Ｐが載置され、水平位と立位との間で起倒可能な天板３と、天板３の表面側に配設されたＸ線管４と、天板３の裏面側に配設されたＸ線検出器５と、Ｘ線検出器５をＸ線検出面２４が天板３を介してＸ線管３側を向く位置とＸ線管３側以外の方向を向く位置とに回動可能に支持する回動支持機構１８と、Ｘ線管３側以外の方向を向いたＸ線検出面２４に対してＸ線を照射可能な位置に配設された第２のＸ線管２５と、を備える。【選択図】    図２
2011045418.tif 000002
【特許請求の範囲】
【請求項１】
被検体が載置され、水平位と立位との間で起倒可能な天板と、
前記天板の表面側に配設されたＸ線管と、
前記天板の裏面側に配設されたＸ線検出器と、
前記Ｘ線検出器を、このＸ線検出器のＸ線検出面が前記天板を介して前記Ｘ線管側を向く位置と前記Ｘ線管側以外の方向を向く位置とに回動可能に支持する回動支持機構と、
前記Ｘ線管側以外の方向を向いた前記Ｘ線検出面に対してＸ線を照射可能な位置に配設された第２のＸ線管と、
を備えることを特徴とするＸ線テレビ装置。
【請求項２】
被検体が載置され、水平位と立位との間で起倒可能な天板と、
前記天板の裏面側に配設されたＸ線検出器と、
前記Ｘ線検出器を、このＸ線検出器のＸ線検出面が前記天板側を向く位置と前記天板側以外の方向を向く位置とに回動可能に支持する回動支持機構と、
前記天板側を向いた前記Ｘ線検出面に前記天板を挟んで対向する位置と、前記天板側以外の方向を向いた前記Ｘ線検出面に前記天板を挟まずに対向する位置とに回動可能に配設されたＸ線管と、
を備えることを特徴とするＸ線テレビ装置。
【請求項３】
前記回動支持機構により支持された前記Ｘ線検出器の回動中心は、前記Ｘ線検出器の重心近傍であることを特徴とする請求項１又は２記載のＸ線テレビ装置。
【請求項４】
前記天板を立位させた場合において、前記回動支持機構により支持された前記Ｘ線検出器の回動中心は、垂直方向を向いていることを特徴とする請求項１記載のＸ線テレビ装置。
【請求項５】
前記天板を立位させた場合において、前記回動支持機構により支持された前記Ｘ線検出器の回動中心は、水平方向を向いていることを特徴とする請求項１記載のＸ線テレビ装置。
【発明の詳細な説明】
【技術分野】
【０００１】
本発明は、Ｘ線テレビ装置に関し、特に、天板の表面側にＸ線管を配設し、天板の裏面側にＸ線検出器を配設したオーバーテーブル方式のＸ線テレビ装置に関する。
【背景技術】
【０００２】
従来のオーバーテーブル方式のＸ線テレビ装置では、天板の表面側にＸ線管が配設され、天板の裏面側にＸ線検出器が配設されている。このため、被検体とＸ線検出器とを密着させることができず、撮影部位の拡大率が大きくなり、鮮明な画像を得ることが困難であった。
【０００３】
また、見たい範囲が広く厚みがある胸部撮影では、拡大率をより小さくして画像のひずみを小さくすることが望ましく、そのためにはＸ線管とＸ線検出器との間隔を２ｍ程度に大きくすることが必要である。しかし、従来のオーバーテーブル方式のＸ線テレビ装置では、Ｘ線管とＸ線検出器とを上下方向（室内の天井側と床側）に位置させて使用することを前提としており、Ｘ線管とＸ線検出器との間に２ｍ程度の間隔を確保することは困難であった。
【０００４】
このような課題を解決したオーバーテーブル方式のＸ線テレビ装置として、下記特許文献１に記載されたものが知られている。
【０００５】
特許文献１に記載されたＸ線テレビ装置では、Ｘ線検出器を、天板の裏面側の位置と天板の裏面側から外れる位置とにスライド可能に設けている。さらに、天板を立位の状態に回動させ、及び、Ｘ線検出器を天板の裏面側から外れる位置にスライドさせた場合に、そのＸ線検出器に向けてＸ線を照射する立位撮影用の第２のＸ線管を配設している。
【先行技術文献】
【特許文献】
【０００６】
【特許文献１】特開２００６−２４６９８９号公報
【発明の概要】
【発明が解決しようとする課題】
【０００７】
しかしながら、特許文献１に記載さたれＸ線テレビ装置では、天板の裏面側から外れる位置にスライドさせたＸ線検出器は、立位の状態に回動させた天板の側方へ張り出して位置する。このため、天板の裏面側から外れる位置にスライドさせたＸ線検出器を使用する場合におけるＸ線テレビ装置の横幅寸法が大きくなり、その分、Ｘ線テレビ装置の設置スペースを大きくする必要がある。
【０００８】
本発明はこのような課題を解決するためになされたもので、その目的は、天板を挟んでＸ線管とＸ線検出器とが配設されたＸ線テレビ装置であっても、設置スペースを大きくすることなく、Ｘ線検出器と被検体を密着させて鮮明な画像を得るこができるＸ線テレビ装置を提供することである。
【課題を解決するための手段】
【０００９】
請求項１記載の発明の特徴は、Ｘ線テレビ装置において、被検体が載置され、水平位と立位との間で起倒可能な天板と、前記天板の表面側に配設されたＸ線管と、前記天板の裏面側に配設されたＸ線検出器と、前記Ｘ線検出器を、このＸ線検出器のＸ線検出面が前記天板を介して前記Ｘ線管側を向く位置と前記Ｘ線管側以外の方向を向く位置とに回動可能に支持する回動支持機構と、前記Ｘ線管側以外の方向を向いた前記Ｘ線検出面に対してＸ線を照射可能な位置に配設された第２のＸ線管と、を備えることである。
【００１０】
請求項２記載の発明の特徴は、Ｘ線テレビ装置において、被検体が載置され、水平位と立位との間で起倒可能な天板と、前記天板の裏面側に配設されたＸ線検出器と、前記Ｘ線検出器を、このＸ線検出器のＸ線検出面が前記天板側を向く位置と前記天板側以外の方向を向く位置とに回動可能に支持する回動支持機構と、前記天板側を向いた前記Ｘ線検出面に前記天板を挟んで対向する位置と、前記天板側以外の方向を向いた前記Ｘ線検出面に前記天板を挟まずに対向する位置とに回動可能に配設されたＸ線管と、を備えることである。
【発明の効果】
【００１１】
本発明によれば、天板を立位させ、Ｘ線検出器をＸ線検出面が天板側以外の方向を向く位置に回動させることにより、被検体をＸ線検出器に密着させた状態でＸ線撮影を行なうことができ、しかも、この被検体をＸ線検出器に密着させた状態でのＸ線撮影を天板の裏面側を利用して行なうため、Ｘ線テレビ装置の設置スペースが大きくならない。
【図面の簡単な説明】
【００１２】
【図１】本発明の第１の実施の形態における腹部撮影時の平面図である。
【図２】胸部撮影時の平面図である。
【図３】腹部撮影時の平面検出器と回動支持機構とを示す正面図である。
【図４】平面検出器の回動動作を説明する側面図である。
【図５】平面検出器を斜め位置に回動させた場合を示す側面図である。
【図６】本発明の第２の実施の形態における腹部撮影時の平面検出器と回動支持機構とを示す正面図である。
【図７】部屋内における平面検出器と第２のＸ線管との位置関係を示す平面図である。
【図８】本発明の第３の実施の形態における腹部撮影時の平面図である。
【図９】胸部撮影時の平面図である。
【図１０】手や足等の撮影時の平面図である。
【発明を実施するための形態】
【００１３】
以下、本発明の実施の形態を図面を用いて説明する。
【００１４】
（第１の実施の形態）
本発明の第１の実施の形態を、図１ないし図５に基づいて説明する。Ｘ線テレビ装置は、基台１と、本体枠２と、被検体Ｐを載置するための天板３と、被検体ＰにＸ線を照射するためのＸ線管４と、被検体Ｐを透過したＸ線を検出するＸ線検出器である平面検出器５とを備えている。なお、図１は腹部のＸ線撮影を行なっている場合を示し、図２は胸部のＸ線撮影を行なっている場合を示している。
【００１５】
基台１は、床面に固定的に据え付けられている。基台１には、駆動モータ６と、駆動モータ６により駆動されて水平軸Ａの回りに回転するピニオン７とが設けられている。
【００１６】
本体枠２は、水平軸Ａの回りに回動可能に基台１に支持され、ピニオン７と噛み合う扇形ギア８を有している。駆動モータ６により駆動されてピニオン７が回転することにより、扇形ギア８と本体枠２とが水平軸Ａの回りに一体に回動する。
【００１７】
本体枠２には、天板支持レール９が固定され、この天板支持レール９には天板３がその短手方向（図１に示す矢印Ｂ方向）にスライド可能に支持されている。天板支持レール９に沿った天板３のスライドは、操作部からの操作に基づき図示しない駆動部により行なわれる。なお、天板３は、本体枠２及び天板支持レール９と一体に水平軸Ａの回りに回動する。天板３が本体枠２及び天板支持レール９と一体に水平軸Ａの回りに回動することにより、天板３は、図１に示すようにその表面（被検体Ｐが載置される面）が垂直になる立位と、その表面が水平になる水平位との間で起倒される。
【００１８】
本体枠２には、さらに、Ｘ線管４を天板３の長手方向に沿ってスライドさせる第１長手方向駆動部１０と、平面検出器５を天板３の長手方向に沿ってスライドさせる第２長手方向駆動部１１とが設けられている。
【００１９】
第１長手方向駆動部１０は、天板３の長手方向と平行に伸びるリニアガイド１２を介して本体枠２にスライド可能に支持され、駆動モータ１３を備えている。駆動モータ１３が駆動されることにより、第１長手方向駆動部１０はリニアガイド１２に沿ってスライドする。この第１長手方向駆動部１０には、略Ｌ字形の支持アーム１４の一端が固定され、支持アーム１４の他端にＸ線管４が取付けられている。
【００２０】
第２長手方向駆動部１１は、天板３の長手方向と平行に伸びるリニアガイド１５を介して本体枠２にスライド可能に支持され、駆動モータ１６を備えている。駆動モータ１６が駆動されることにより、第２長手方向駆動部１１はリニアガイド１５に沿ってスライドする。なお、第１・第２長手方向駆動部１０，１１も、本体枠２及び天板支持レール９と一体に水平軸Ａの回りに回動する。
【００２１】
第２長手方向駆動部１１には矩形状とを備えている。なお、回動用モータ２３に代えてネジ、つまみ等を設け、手動操作により任意の角度で固定する構造としてもよい。また、回動アーム２１を後述する図４の二点鎖線で示す位置に回動させた場合、その回動位置で重力方向の負荷に耐えられるようにするため、回の枠部材１７が固定され、この枠部材１７に平面検出器５が回動支持機構１８を介して支持されている。回動支持機構１８は、図３に示すように、クランク状に形成されて一端側１９が枠部材１７の内側面に回動可能に支持されて他端側２０が平面検出器５の側面に回動可能に支持された一対の回動アーム２１と、一方の回動アーム２１の一端側１９に連結されてこの回動アーム２１を一端側１９の回りに回動させる回動用モータ２２と、一方の回動アーム２１の他端側２０に連結されて平面検出器５を他端側２０の回りに回動させる回動用モータ２３動アーム２１の一端側１９には、固定金具やつっかえ棒を設けることが好適である。
【００２２】
回動支持機構１８の回動アーム２１の他端側２０に支持された平面検出器５の回動中心は、平面検出器５の重心近傍とされている。また、平面検出器５の回動中心となる回動アーム２１の他端側２０は、天板３を立位させた場合において水平方向を向いている。
【００２３】
平面検出器５の一方の面は、Ｘ線を検出するＸ線検出面２４とされている。回動支持機構１８によって平面検出器５を回動させることにより、平面検出器５は、Ｘ線検出面２４が天板３を介してＸ線管４側を向く位置（図１に示す位置）と、Ｘ線管４以外の方向を向く位置（例えば、図２に示す位置）とに回動され、その回動位置で位置固定される。
【００２４】
このＸ線テレビ装置には、Ｘ線テレビ装置の一部を構成するとともにＸ線テレビ装置が設置された室内に設置され、Ｘ線管４以外の方向を向いたＸ線検出面２４に対してＸ線を照射する第２のＸ線管２５が設けられている。この第２のＸ線管２５は、室内の天井面に設置されたガイドレール（図示せず）に沿って平面検出器５に対して接離する方向へスライド可能に吊り下げられている。また、第２のＸ線管２５を必要に応じてスライドさせることにより、第２のＸ線管２５と、Ｘ線検出面２４を第２のＸ線管２５側に向けた平面検出器５との間隔は、胸部のＸ線撮影に適した２ｍを確保できるように設定されている。
【００２５】
このような構成において、図１は、天板３の表面に被検体Ｐを載置し、天板３を水平位と立位との間で起倒させながら腹部のＸ線撮影を行い、その撮影過程で天板３が立位した状態を示している。天板３を水平位と立位との間で起倒させる動作は、駆動モータ６を駆動させ、本体枠２、天板支持レール９、第１・第２長手方向駆動部１０，１１を水平軸Ａの回りに一体に回動させることにより行なわれる。なお、平面検出器５は、Ｘ線検出面２４がＸ線管４側を向く位置に回動されている。この腹部のＸ線撮影では、Ｘ線管４から照射されたＸ線が、被検体Ｐと天板３とを透過した後に平面検出器５のＸ線検出面２４に入射され、腹部のＸ線画像が得られる。
【００２６】
このＸ線テレビ装置を用いて被検体Ｐの胸部をＸ線撮影する場合には、図４に示すように、回動用モータ２２を駆動させて回動アーム２１を一端側１９を支点として矢印Ｃ方向に約９０°回動させ、さらに、回動用モータ２３を駆動させて平面検出器５を回動アーム２１の他端側２０を支点として矢印Ｄ方向に約９０°回動させ、Ｘ線検出面２４を第２のＸ線管２５に向ける。そして、被検体Ｐを平面検出器５の前に立たせるとともに胸部をＸ線検出面２４に密着させ、第２のＸ線管２５から被検体Ｐに向けてＸ線を照射する。この胸部のＸ線撮影では、第２のＸ線管２５から照射されたＸ線は、被検体Ｐを透過した後に平面検出器５のＸ線検出面２４に入射され、胸部のＸ線画像が得られる。そして、被検体Ｐの胸部と平面検出器５とを密着させることができるため、撮影部位の拡大率を抑えることができ、鮮明な画像を得ることができる。
【００２７】
また、胸部のＸ線撮影に際しては、Ｘ線検出面２４が第２のＸ線管２５に対向するように平面検出器５を回動させ、立位させた天板３の裏面側を利用して行なっている。このため、このＸ線テレビ装置では、腹部のＸ線撮影に加えて胸部のＸ線撮影を行えるにも拘らず、Ｘ線テレビ装置の設置スペースを大きくする必要がない。そして、第２のＸ線管２５は平面検出器５に対して水平方向で対向するように設置されているため、Ｘ線テレビ装置が設置されている室内の天井面の高さの影響を受けることなく、平面検出器５と第２のＸ線管２５との間に胸部のＸ線撮影に際して必要とされる２ｍの距離を容易に確保することができる。
【００２８】
回動支持機構１８の回動アーム２１の他端側２０に支持された平面検出器５の回動中心は、平面検出器５の重心近傍とされているため、平面検出器５を回動させたり回動位置で支持する場合に作用する負荷が小さく、平面検出器５を安定して支持することができる。
【００２９】
なお、平面検出器５の回動中心となる回動アーム２１の他端側２０は、天板３を立位させた場合において水平方向を向いているので、平面検出器５を図５に示すような斜めの角度で固定することができる。そして、平面検出器５を図５に示すような斜めの角度で固定することにより、この平面検出器５のＸ線検出面２４に、手を載せたり、椅子に座った状態で頸部を載せたりすることができ、手や頸部を天板３を介さずに平面検出器５に密着させてＸ線撮影することができる。なお、頸部をＸ線撮影する場合には、第２のＸ線管２５を二点鎖線で示す位置に移動させることにより、斜入撮影を行なうこともできる。
【００３０】
（第２の実施の形態）
本発明の第２の実施の形態のＸ線テレビ装置を図６及び図７に基づいて説明する。なお、第２の実施の形態及び以下に説明する他の実施の形態において、先行して説明した実施の形態の構成要素と同じ構成要素には同じ符号を付け、重複する説明は省略する。
【００３１】
第２の実施の形態の基本的構造は第１の実施の形態と同じであり、異なる点は、回動支持機構１８により支持された平面検出器５の回動中心が、天板３を立位させた場合において垂直方向を向いている点である。
【００３２】
また、胸部のＸ線撮影時に使用する第２のＸ線管２５は、Ｘ線テレビ装置が設置された部屋Ｒのコーナー部に配設されている。
【００３３】
このような構成において、被検体Ｐの胸部をＸ線撮影する場合には、平面検出器５をＸ線検出面２４が第２のＸ線管２５を向くように回動させ、被検体Ｐの胸部を平面検出器５のＸ線検出面２４に密着させ、第２のＸ線管２５から被検体Ｐに向けてＸ線を照射する。
【００３４】
ここで、天板３を立位させた場合において平面検出器５の回動中心が垂直方向を向いているため、平面検出器５のＸ線検出面２４を部屋Ｒのコーナー部に配設された第２のＸ線管２５の方向に簡単に向けることができる。これにより、Ｘ線テレビ装置を設置する部屋Ｒが狭い場合であっても、第２のＸ線管２５と、Ｘ線検出面２４を第２のＸ線管２５側に向けた平面検出器５との間に、胸部のＸ線撮影に適した２ｍの間隔を容易に確保することが可能となる。
【００３５】
（第３の実施の形態）
本発明の第３の実施の形態のＸ線テレビ装置を図８乃至図１０に基づいて説明する。第３の実施の形態の基本的構造は第１の実施の形態と同じであり、異なる点は、第１の実施の形態で説明した第２のＸ線管２５を設けず、Ｘ線管４を天板３を介してＸ線撮影（例えば、腹部のＸ線撮影）を行なう位置と、天板３を介さずにＸ線撮影（例えば、胸部のＸ線撮影）を行なう位置とに移動可能とした点である。
【００３６】
第１長手方向駆動部１０には略Ｌ字形に形成された支持アーム１４ａの一端が回動可能に連結され、支持アーム１４ａの他端にＸ線管４が取付けられている。
【００３７】
支持アーム１４ａは、図８に示した位置から、図９に示した位置、又は、図１０に示した位置に回動させることができ、それぞれの回動位置で固定することができる。支持アーム１４ａの回動は、第１長手方向駆動部１０に設けられている駆動モータ２６を駆動させることにより行なわれる。
【００３８】
このような構成において、図８は、天板３の表面に被検体Ｐを載置し、天板３を水平位と立位との間で起倒させながら腹部のＸ線撮影を行い、その撮影過程で天板３が立位した状態を示している。平面検出器５のＸ線検出面２４は、天板３を介してＸ線管４に対向している。
【００３９】
図９は、このＸ線テレビ装置を用いて被検体Ｐの胸部をＸ線撮影する場合を示している。平面検出器５は、回動支持機構１８の駆動によりＸ線検出面２４を天板３の反対側を向く位置に回動されている。また、駆動モータ２６が駆動されることにより支持アーム１４ａが１８０°回動され、Ｘ線管４がＸ線検出面２４に対向している。この状態で、被検体Ｐを平面検出器５の前に立たせるとともに胸部を平面検出器５のＸ線検出面２４に密着させ、Ｘ線管４から被検体Ｐに向けてＸ線を照射し、胸部のＸ線撮影を行なう。なお、支持アーム１４ａの回動中心位置と支持アーム１４ａの長さを適宜に設定することにより、Ｘ線検出面２４とＸ線管４との間には、胸部のＸ線撮影に必要な２ｍの距離が確保されている。
【００４０】
図１０は、天板３を立位させた状態において、平面検出器５をＸ線検出面２４が上方を向く位置に回動させて位置固定するとともに、支持アーム１４ａを図８に示す位置から９０°回動させ、上方からＸ線検出面２４に対向させた状態である。これにより、手や足等を平面検出器５のＸ線検出面２４に載せ、Ｘ線管４からＸ線を照射することにより、手や足等を平面検出器５のＸ線検出面２４に密着させた状態でＸ線撮影を行なうことができ、鮮明な画像を得ることができる。
【符号の説明】
【００４１】
３      天板
４      Ｘ線管
５      Ｘ線検出器
１８      回動支持機構
２４      Ｘ線検出面
２５      第２のＸ線管
Ｐ      被検体
【図１】
2011045418.tif 000003
【図２】
2011045418.tif 000004
【図３】
2011045418.tif 000005
【図４】
2011045418.tif 000006
【図５】
2011045418.tif 000007
【図６】
2011045418.tif 000008
【図７】
2011045418.tif 000009
【図８】
2011045418.tif 000010
【図９】
2011045418.tif 000011
【図１０】
2011045418.tif 000012